(57)【要約】    【課題】  アイレリーフが十分長く、しかも観察倍率が高く、良好なるファインダー像の観察が容易なファインダー光学系を得ること。    【解決手段】  所定面に形成された物体像を観察するためのファインダー光学系であって、所定面から観察側へ順に、正立像を形成するための像反転部材と、接眼光学系を有し、接眼光学系は所定面から観察側へ順に配置された負の屈折力の第１レンズ群、正の屈折力の第２レンズ群、負の屈折力の第３レンズ群より構成され、視度調節に際して第２レンズ群が移動することで隣り合うレンズ群の間隔が変化し、第３レンズ群のレンズ群の厚さＤ３、第３レンズ群の焦点距離ｆ３、接眼光学系の−１ディオプターのときの焦点距離ｆを各々適切に設定すること。【選択図】    図１
2017116566.tif 000002
【特許請求の範囲】
【請求項１】
所定面に形成された物体像を観察するためのファインダー光学系であって、前記所定面から観察側へ順に、正立像を形成するための像反転部材と、接眼光学系を有し、前記接眼光学系は前記所定面から観察側へ順に配置された負の屈折力の第１レンズ群、正の屈折力の第２レンズ群、負の屈折力の第３レンズ群より構成され、視度調節に際して前記第２レンズ群が移動することで隣り合うレンズ群の間隔が変化し、
前記第３レンズ群のレンズ群の厚さをＤ３、前記第３レンズ群の焦点距離をｆ３、前記接眼光学系の−１ディオプターのときの焦点距離をｆとするとき、
０．１２＜Ｄ３／ｆ＜０．２３
−４．０＜ｆ３／ｆ＜−２．０
なる条件式を満足することを特徴とするファインダー光学系。
【請求項２】
前記第２レンズ群のレンズ群の厚さをＤ２とするとき、
０．０５＜Ｄ２／ｆ＜０．１５
なる条件式を満足することを特徴とする請求項１に記載のファインダー光学系。
【請求項３】
前記第３レンズ群の最も物体側のレンズ面の曲率半径をＲ３１、前記第３レンズ群の最も観察側のレンズ面の曲率半径をＲ３２とするとき、
−６．０＜（Ｒ３２＋Ｒ３１）／（Ｒ３２−Ｒ３１）＜−４．３
なる条件式を満足することを特徴とする請求項１または２に記載のファインダー光学系 
【請求項４】
前記第３レンズ群は、複数のレンズより構成され、該複数のレンズのうち最も観察側のレンズの材料は鉛筆硬度が２Ｈ以上であることを特徴とする請求項１乃至３のいずれか１項に記載のファインダー光学系。
【請求項５】
撮像手段と、前記撮像手段に物体像を形成する撮像光学系と、前記物体像を観察するために用いられる請求項１乃至４のいずれか１項に記載のファインダー光学系を有することを特徴とする撮像装置。
【発明の詳細な説明】
【技術分野】
【０００１】
本発明は、ファインダー光学系及びそれを用いた撮像装置に関し、特にファインダー光学系の観察倍率が大きくファインダー像を良好に観察することができる、例えばデジタル一眼レフカメラやビデオカメラ等の撮像装置に好適なものである。
【背景技術】
【０００２】
従来、一眼レフカメラ等の撮像装置では撮像光学系によって、焦点板上に形成した被写体像(ファインダー像)をファインダー光学系を介して観察している。このファインダー光学系は、焦点板上に形成された被写体像をペンタプリズムやペンタダハミラー等の像反転部材を介して正立像とした後、接眼光学系（接眼レンズ）によって拡大して観察するように構成されている。
【０００３】
多くの一眼レフカメラ用のファインダー光学系では主にペンタタハプリズムの大きさに依存する焦点板から接眼光学系までの長さ（光路長）によって、観察倍率やアイレリーフ等のファインダー光学系の仕様が決定されている。尚、ここでアイレリーフとは接眼光学系の射出のレンズ面から観察者の瞳孔(アイポイント)までの距離である。
【０００４】
このようなファインダー光学系に用いられる接眼光学系には、高い観察倍率を有すること、十分な長さのアイレリーフがあること、そして視度調整ができること等が求められている。  従来、観察倍率を高くかつアイレリーフを長くするために接眼光学系を物体側から順に負の屈折力の第１レンズ群、正の屈折力の第２レンズ群、負の屈折力の第３レンズ群より構成したファインダー光学系が知られている（特許文献１，２）。特許文献１，２ではファインダー視度調整に際して第２レンズ群が移動したファインダー光学系を開示している。
【先行技術文献】
【特許文献】
【０００５】
【特許文献１】特開２００９−２５１３２３号公報
【特許文献２】特開２００９−９２９６６号公報
【発明の概要】
【発明が解決しようとする課題】
【０００６】
ファインダー像の観察を良好に行うには、観察倍率が高いこと、アイレリーフが長いことが必要である。一眼レフカメラにおいてファインダー光学系の観察倍率を大きくするには、ペンタダハプリズム等の像反転部材の光路長を短くし、焦点板から接眼光学系の主点までの距離を短くするのが良い。また、アイレリーフを長くする際、像反転部材の射出面でのケラレを少なくするためには、像反転部材を大型化する必要がある。そうすると、像反転部材の光路長が必然的に長くなり、ファインダー光学系の観察倍率が低下してくる。
【０００７】
一眼レフカメラのファインダー光学系において、観察倍率が高く、またアイレリーフが長くなるようにするには、接眼光学系の構成を適切に設定することが重要になってくる。特許文献１、特許文献２に開示されている接眼光学系では第３レンズ群のレンズ厚を厚く設定することによりファインダー光学系の観察倍率を高くしている。しかしながら、第３レンズ群の負の焦点距離が短いために、第３レンズ群の負の屈折力が強くなり良好な像を得ることが難しい。
【０００８】
本発明は、アイレリーフが十分長く、しかも観察倍率が高く、良好なるファインダー像の観察が容易なファインダー光学系及びそれを有する撮像装置の提供を目的とする。
【課題を解決するための手段】
【０００９】
本発明のファインダー光学系は、所定面に形成された物体像を観察するためのファインダー光学系であって、前記所定面から観察側へ順に、正立像を形成するための像反転部材と、接眼光学系を有し、前記接眼光学系は前記所定面から観察側へ順に配置された負の屈折力の第１レンズ群、正の屈折力の第２レンズ群、負の屈折力の第３レンズ群より構成され、視度調節に際して前記第２レンズ群が移動することで隣り合うレンズ群の間隔が変化し、
前記第３レンズ群のレンズ群の厚さをＤ３、前記第３レンズ群の焦点距離をｆ３、前記接眼光学系の−１ディオプターのときの焦点距離をｆとするとき、
０．１２＜Ｄ３／ｆ＜０．２３
−４．０＜ｆ３／ｆ＜−２．０
なる条件式を満足することを特徴としている。
【発明の効果】
【００１０】
本発明によれば、アイレリーフが十分長く、しかも観察倍率が高く、良好なるファインダー像の観察が容易なファインダー光学系が得られる。
【図面の簡単な説明】
【００１１】
【図１】本発明のファインダー光学系を一眼レフカメラに適用したときの要部断面図
【図２】本発明の実施例１の光学要素の光路を展開した断面図
【図３】本発明の実施例１の収差図
【図４】本発明の実施例２の光学要素の光路を展開した断面図
【図５】本発明の実施例２の収差図
【図６】本発明の実施例３の光学要素の光路を展開した断面図
【図７】本発明の実施例３の収差図
【図８】本発明の実施例４の光学要素の光路を展開した断面図
【図９】本発明の実施例４の収差図
【発明を実施するための形態】
【００１２】
以下に、本発明の好ましい実施の形態を、添付の図面に基づいて詳細に説明する。本発明のファインダー光学系は、撮像光学系により、所定面、例えば焦点板に形成された物体像（ファインダー像）を接眼光学系を介して観察する。ファインンダー光学系は、所定面側から観察側へ順に、ペンタプリズム等の正立像形成用の像反転部材、と接眼光学系より構成されている。
【００１３】
接眼光学系は所定面から観察側へ順に配置された負の屈折力の第１レンズ群、正の屈折力の第２レンズ群、負の屈折力の第３レンズ群により構成されている。視度調節に際して第２レンズ群が移動することで隣り合うレンズ群の間隔が変化する。
【００１４】
本発明の撮像装置は、ファインダー光学系とファインダー光学系で表示される被写体像に相当する像を形成する撮像光学系と、像を受光する撮像手段とを有している。
【００１５】
図１は本発明の接眼光学系を有するファインダー光学系をデジタル一眼レフカメラ（撮像装置）に適用したときの要部断面図である。図２は本発明の実施例１のファインダー光学系の光学要素の光路を展開したときのレンズ断面図である。図３（Ａ）、（Ｂ）、（Ｃ）は本発明の実施例１のファインダー光学系におけるファインダー視度が−１ディオプトリー（標準視度）、−３ディオプトリー、＋１ディオプトリーのときの収差図である。
【００１６】
図４は本発明の実施例２のファインダー光学系の光学要素の光路を展開したときのレンズ断面図である。図５（Ａ）、（Ｂ）、（Ｃ）は本発明の実施例２のファインダー光学系におけるファインダー視度が−１ディオプトリー（標準視度）、−３ディオプトリー、＋１ディオプトリーのときの収差図である。
【００１７】
図６は本発明の実施例３のファインダー光学系の光学要素の光路を展開したときのレンズ断面図である。図７（Ａ）、（Ｂ）、（Ｃ）は本発明の実施例３のファインダー光学系におけるファインダー視度が−１ディオプトリー（標準視度）、−３ディオプトリー、＋１ディオプトリーのときの収差図である。
【００１８】
図８は本発明の実施例４のファインダー光学系の光学要素の光路を展開したときのレンズ断面図である。図９（Ａ）、（Ｂ）、（Ｃ）は本発明の実施例４のファインダー光学系におけるファインダー視度が−１ディオプトリー（標準視度）、−３ディオプトリー、＋１ディオプトリーのときの収差図である。
【００１９】
図１において、１００はファインダー光学系である。１はカメラ本体（不図示）に固定または着脱可能に装着される撮像光学系である。２はクイックリターンミラー（ＱＲミラー）であり、回転軸２ａを中心に回動可能となっており、ファインダー光学系で被写体を観察する際には撮像光学系１からの光束を上方に反射させている。
【００２０】
３は焦点板である。３ａは焦点板３のマット面であり、その面上には撮像光学系１によって被写体像（ファインダー像）が形成されている。４は正立像形成部材としてのペンタダハプリズム（像反転部材）であり、焦点板３のマット面３ａ上に形成された被写体像を正立正像としている。５は接眼光学系であり、ファインダー光学系１００の一部を構成している。Ｌａはファインダー光学系１００の光軸である。
【００２１】
本実施例においては、撮像光学系１により結像される被写体像をクイックリターンミラー２で反射させて焦点板３上のマット面３ａ（所定面）に形成している。そしてマット面３ａに形成したファインダー像をペンタプリズム４で正立像として接眼光学系５を介してアイポイント６より観察している。
【００２２】
図２、図４、図６、図８の実施例１乃至４のレンズ断面図において、接眼光学系５は像反転部材４側から観察側（アイポイント６側）へ順に、負の屈折力の第１レンズ群Ｌ１、正の屈折力の第２レンズ群Ｌ２、負の屈折力の第３レンズ群Ｌ３からなっている。そして、第２レンズ群Ｌ２をファインダー光学系１００の光軸Ｌａに沿って移動することで視度調節を行っている。
【００２３】
ここで各レンズ群は単一レンズ又は複数のレンズより成っている。アイポイント６には、観察者の眼が位置する。接眼光学系５の最終レンズ面（アイポイント６側のレンズ面）から観察側のアイポイント６までの距離がアイレリーフに相当している。ＩＰは撮像光学系１の像面であり、ＣＣＤセンサやＣＭＯＳセンサ等の固体撮像素子（撮像手段）の撮像面またはフィルム（撮像手段）等の感光面に相当する。
【００２４】
図３、図５、図７、図９の実施例１乃至４の収差図において、球面収差図の実線のｄはｄ線（波長５８７．６ｎｍ）、２点鎖線のｇはｇ線（波長４８７．１３ｎｍ）である。非点収差図においてＭはｄ線のメリディオナル像面、Ｓはｄ線のサジタル像面である。歪曲収差はｄ線について示している。倍率色収差図においてはｄ線を基準としたｇ線について示している。球面収差図における瞳径はアイポイント６での径である。ｈはマット面３ａ側での像高である。
【００２５】
本発明のファインダー光学系１００は、正立像を形成するための像反転部材４と、接眼光学系５を有している。接眼光学系５は所定面３ａから観察側へ順に配置された負の屈折力の第１レンズ群Ｌ１、正の屈折力の第２レンズ群Ｌ２、負の屈折力の第３レンズ群Ｌ３より構成されている。
【００２６】
視度調節に際して、第２レンズ群Ｌ２が移動する。第３レンズ群Ｌ３のレンズ群厚（最も物体側のレンズ面のから最も像側のレンズ面までの距離）をＤ３とする。第３レンズ群Ｌ３の焦点距離をｆ３とする。接眼光学系５の−１ディオプターのときの焦点距離をｆとする。このとき、
０．１２＜Ｄ３／ｆ＜０．２３    ・・・（１）
−４．０＜ｆ３／ｆ＜−２．０    ・・・（２）
なる条件式を満足する。
【００２７】
次に前述の条件式の技術的意味について説明する。条件式（１）は高い観察倍率を確保しつつ全系（ファインダー系）の小型化を図るためのものである。条件式（１）を満たすことで第３レンズ群Ｌ３の主点を観察側に移動することができ、ファインダー光学系全体の焦点距離を短くすることができ、高い観察倍率を有するファインダー光学系を実現することが容易となる。
【００２８】
条件式（１）の下限を超えると、第３レンズ群Ｌ３の主点を観察側に移動することが困難となるため、ファインダー光学系全体の焦点距離を短くすることが難しくなり、観察倍率を高くすることが困難になる。逆に条件式（１）の上限を超えると、第３レンズ群Ｌ３のレンズ群厚が厚くなりすぎてしまい、ファインダー光学系が全長が長くなり、ファインダー光学系が大型化してしまう。
【００２９】
条件式（２）は高い観察倍率を確保しつつ、良好なファインダー像の観察を実現するためのものである。条件式（２）の下限を超えて第３レンズ群Ｌ３の負の焦点距離が長く（負の焦点距離の絶対値が大きく）なりすぎると、高い観察倍率を得るのが困難になる。また条件式（２）の下限を超えて第３レンズ群Ｌ３の負の屈折力が弱くなると（負の屈折力の絶対値が小さくなると）、アイレリーフが短くなってしまう。
【００３０】
逆に条件式（２）の上限を超えて第３レンズ群Ｌ３の負の屈折力が強くなりすぎると（負の屈折力の絶対値が大きくなると）、球面収差や、非点収差が増加してきて良好なファインダー像の観察が困難になる。更に好ましくは条件式（１）、（２）の数値範囲を次の如く設定するのが良い。
【００３１】
０．１５＜Ｄ３／ｆ＜０．２１        ・・・（１ａ）
−３．８０＜ｆ３／ｆ＜−２．１０    ・・・（２ａ）
【００３２】
以上のように本発明によれば観察倍率が大きく、大きなファインダー像の観察ができ、しかもアイレリーフを十分に長く確保することができ、各諸収差を良好に改善した高性能なファインダー光学系が得られる。更に好ましくは次の条件式のうち１つ以上を満足するのが良い。第２レンズ群Ｌ２のレンズ群の厚さをＤ２とする。第３レンズ群Ｌ３の最も物体側のレンズ面の曲率半径をＲ３１、第３レンズ群Ｌ３の最も観察側のレンズ面の曲率半径をＲ３２とする。このとき次の条件式のうち１つ以上を満足するのが良い。
【００３３】
０．０５＜Ｄ２／ｆ＜０．１５    ・・・（３）
−６．０＜（Ｒ３２＋Ｒ３１）／（Ｒ３２−Ｒ３１）＜−４．３    ・・・（４）
【００３４】
次に前述の条件式の技術的意味について説明する。条件式（３）はファインダー光学系の視度調整を適切に行うためのものである。条件式（３）の下限を超えると、第２レンズＧ２のコバ厚が薄くなってしまうため、第２レンズＧ２のレンズ面の曲率を小さくすることが出来ずに、十分な視度調整を行うことが難しくなる。逆に条件式（３）の上限を超えて第２レンズＧ２が厚くなりすぎると第２レンズＧ２を十分に移動させることが難しくなり、十分な視度調整を行うことが困難になる。
【００３５】
条件式（４）は諸収差を良好に補正しつつ、条件式（２）を十分に満たすためのものである。条件式（４）の下限を超えて第３レンズ群Ｌ３の物体側のレンズ面の屈折力が強くなりすぎると、物体側のレンズ面より像面湾曲と、非点収差が多く発生してくる。逆に条件式（４）の上限を超えて、第３レンズ群Ｇ３の観察側のレンズ面の曲率が小さくなると、カメラに搭載した時に観察側のレンズがカメラの内部に潜り込む形状となってしまい実質的なアイレリーフが短くなってくる。更に好ましくは条件式（３）、（４）の数値範囲を次の如く設定するのが良い。
【００３６】
０．０７＜Ｄ２／ｆ＜０．１３    ・・・（３ａ）
−５．６０＜（Ｒ３２＋Ｒ３１）／（Ｒ３２−Ｒ３１）＜−４．３５  ・・・（４ａ）
【００３７】
各実施例において、第３レンズ群は、複数のレンズより構成され、複数のレンズのうち最も観察側のレンズの材料は鉛筆硬度（JIS S6006,2007）が２Ｈ以上であるのが良い。このように観察側のレンズの材料を鉛筆硬度の大きい材料を用いることにより対候性に優れた接眼光学系５を構成している。
【００３８】
次に各実施例の接眼光学系５のレンズ構成について説明する。
［実施例１］
図２を参照して、本発明の実施例１のファインダー光学系を構成する接眼光学系５のレンズ構成について説明する。接眼光学系５は焦点板３側から観察側（アイポイント６側）へ順に、負の屈折力の第１レンズ群Ｌ１、正の屈折力の第２レンズ群Ｌ２、負の屈折力の第３レンズ群Ｌ３から構成されている。
【００３９】
第１レンズ群Ｌ１は負の屈折力の第１レンズＧ１より構成されている。第２レンズ群Ｌ２は正の屈折力の第２レンズＧ２より構成されている。第３レンズ群Ｌ３は第３レンズＧ３より構成されている。第３レンズＧ３はポリカーボネート系樹脂よりなるレンズＧ３ｂをアクリル系樹脂よりなるレンズＧ３ａと、レンズＧ３ｃで両側より接合した接合レンズからなっている。ポリカーボネート系樹脂よりなるレンズＧ３ｂの鉛筆硬度（JIS S6006,2007）はＢであり、それに対してスチレン系樹脂よりも硬いアクリル系樹脂よりなるレンズＧ３ａと、レンズＧ３ｃの鉛筆硬度は３Ｈである。
【００４０】
これにより、もっともアイポイント６側のレンズＧ３ｃを鉛筆硬度の大きい樹脂材料にすることにより、傷つきにくい耐候性に優れた接眼光学系５を構成している。第２レンズ群Ｌ２を光軸方向に移動させることにより、視度調節を行っている。
【００４１】
［実施例２］
以下、図４を参照して、本発明の実施例２のファインダー光学系を構成する接眼光学系５のレンズ構成について説明する。実施例２の接眼光学系５のレンズ構成は実施例１と同じである。
【００４２】
［実施例３］
以下、図６を参照して、本発明の実施例３のファインダー光学系を構成する接眼光学系５のレンズ構成について説明する。接眼光学系５は焦点板３側から観察側（アイポイント６側）へ順に、像反転部材４、負の屈折力の第１レンズ群Ｌ１、正の屈折力の第２レンズ群Ｌ２、負の屈折力の第３レンズ群Ｌ３から構成されている。第１レンズ群Ｌ１は負の屈折力の第１レンズＧ１より構成されている。第２レンズ群Ｌ２は正の屈折力の第２レンズＧ２より構成されている。第３レンズ群Ｌ３は負の屈折力の第３レンズＧ３より構成されている。
【００４３】
第３レンズＧ３はポリカーボネート系樹脂よりなるレンズＧ３ａとアクリル系樹脂よりなるレンズＧ３ｂを接合した接合レンズからなっている。ポリカーボネート系樹脂よりなるＧ３ａの鉛筆硬度はＢであり、それに対してスチレン系樹脂よりも硬いアクリル系樹脂よりなるレンズＧ３ｂの鉛筆硬度は３Ｈである。これにより、もっともアイポイント６側のレンズＧ３ｂを鉛筆硬度の大きい樹脂材料にすることにより、傷つきにくい耐候性に優れた接眼光学系５を構成している。第２レンズ群Ｌ２を光軸方向に移動させることにより、視度調節を行っている。
【００４４】
［実施例４］
以下、図８を参照して、本発明の実施例４のファインダー光学系を構成する接眼光学系５のレンズ構成について説明する。接眼光学系５は焦点板３側から観察側（アイポイント６側）へ順に、負の屈折力の第１レンズ群Ｌ１、正の屈折力の第２レンズ群Ｌ２、負の屈折力の第３レンズ群Ｌ３から構成されている。第１レンズ群Ｌ１は負の屈折力の第１レンズＧ１より構成されている。第２レンズ群Ｌ２は正の屈折力の第２レンズＧ２より構成されている。第３レンズ群Ｌ３は負の屈折力の第３レンズＧ３より構成されている。
【００４５】
第３レンズＧ３はスチレン系樹脂よりなるレンズＧ３ｂをアクリル系樹脂よりなるレンズＧ３ａと、レンズＧ３ｃで両側より接合した接合レンズからなっている。スチレン系樹脂よりなるレンズＧ３ｂの鉛筆硬度はＨであり、それに対してスチレン系樹脂よりも硬いアクリル系樹脂よりなるレンズＧ３ａと、レンズＧ３ｃの鉛筆硬度は３Ｈである。これにより、もっともアイポイント６側のレンズＧ３ｃを鉛筆硬度の大きい樹脂材料にすることにより、傷つきにくい耐候性に優れた接眼光学系５を構成している。第２レンズＧ２を光軸方向に移動させることにより、視度調節を行っている。
【００４６】
以上、本発明の好ましい実施形態について説明したが、本発明はこれらの実施形態に限定されず、その要旨の範囲内で種々の変形及び変更が可能である。
【００４７】
本発明の撮像装置は、ファインダー光学系と、ファインダー光学系で表示される物体像に相当する像を受光する撮像手段と、を有する。この他、本発明の撮像装置は、ファインダー光学系と、ファインダー光学系で表示される物体像に相当する像を形成する撮像光学系と、像を受光する撮像手段とを有する。
【００４８】
以上のように本発明によれば、撮像素子を用いた撮像装置において、高い光学性能を保ちつつ観察倍率を大きくしながらも、長いアイレリーフを有するファインダー光学系及び撮像装置が得られる。
【００４９】
以下に、各実施例に対応する数値データの諸元を示す。数値データにおいてｒiは焦点板３のマット面３ａ側より観察側へ順に、第i番目の面の曲率半径、ｄiはi番目のレンズ厚及び空気間隔である。ndiとνdiは各々第i番目の材料の屈折率とアッベ数である。ｒ１はマット面３ａに相当している。ｒ２、ｒ３はペンタダハプリズム５の入射面と出射面に相当している。実施例１、２、４においてｒ４乃至ｒ１１、実施例３においてｒ４乃至ｒ１０は接眼光学系５に相当している。最終面はアイポイント６に相当している。
【００５０】
なお、各数値データにおいて＊印は非球面を表している。非球面形状は光軸方向にＸ軸、光軸と垂直方向にＹ軸、光の進行方向を正としＲを近軸曲率半径、Ｋを円錐定数とする。又A4、A6、A8、A10を非球面係数とする。このとき、
【００５１】
【数１】
2017116566.tif 000003
【００５２】
によって定義されるものである。また、「e-0X」の表示は「10-X」を意味している。第２レンズ群Ｌ２で視度調節するときのファインダー視度と間隔変化ｄ５、ｄ７を示す。またファインダー視度と、接眼光学系５の焦点距離ｆとの関係を示す。また、第１レンズ群Ｌ１の焦点距離ｆ１、第２レンズ群Ｌ２の焦点距離ｆ２、第３レンズ群Ｌ３の焦点距離ｆ３を示す。また、前述の条件式と数値データにおける関係を表１に示す。
【００５３】
［数値データ１］
単位 mm 
面データ
面番号       r        d      nd         νd 
1          ∞       5.00                             
2          ∞      78.00   1.51633    64.1           
3          ∞       1.10                             
4       -187.117    2.00   1.58306    30.2           
5*        38.689  (可変)                             
6*        26.722    5.70   1.53110    56.0           
7        -34.549  (可変)                             
8*        20.715    1.00   1.49171    57.4           
9*        20.715    8.85   1.58306    30.2           
10*        14.367    1.00   1.49171    57.4           
11*        14.367    22.0                            
12  (アイポイント) 
非球面データ
第5面
K = 0.00000e+000  A 4= 2.93587e-006  A 6=-1.56748e-007  A 8= 9.25637e-010  A10=-2.20791e-012  
第6面
K = 1.51151e+000  A 4=-5.09040e-007  A 6=-3.78805e-007  A 8= 1.80369e-009  A10=-4.30914e-012  
第8面
K =-2.66024e+000  A 4=-1.76063e-006  A 6= 3.03268e-007  A 8=-1.89274e-009  A10= 4.90496e-012  
第9面
K =-2.66024e+000  A 4=-1.76063e-006  A 6= 3.03268e-007  A 8=-1.89274e-009  A10= 4.90496e-012  
第10面
K = 0.00000e+000  A 4=-6.17533e-005  A 6= 8.39291e-007  A 8=-1.19573e-008  A10= 5.19263e-011  
第11面
K = 0.00000e+000  A 4=-6.17533e-005  A 6= 8.39291e-007  A 8=-1.19573e-008  A10= 5.19263e-011  
各種データ
視度(m-1 )       -1       -3       +1
焦点距離      54.16    56.79    51.84  
d 5            2.17     0.80     3.50  
d 7            1.83     3.19     0.50  
レンズ焦点距離
f1     -54.81  
f2     29.32  
f3   -201.29  
【００５４】
［数値データ２］
単位 mm 
面データ
面番号       r        d      nd         νd 
1          ∞       5.00                             
2          ∞      78.90   1.51633    64.1           
3          ∞       1.15                             
4       -500.078    1.80   1.58306    30.2           
5*        43.000  (可変)                             
6*        25.470    5.63   1.53110    56.0           
7        -37.297  (可変)                             
8*        25.329    1.00   1.49171    57.4           
9*        25.329    8.65   1.58306    30.2           
10*        15.915    1.00   1.49171    57.4           
11*        15.915    22.00                             
12 (アイポイント) 
非球面データ
第5面
K = 0.00000e+000  A 4= 1.20419e-005  A 6=-3.24343e-007  A 8= 2.39129e-009  A10=-6.40875e-012  
第6面
K = 1.42584e+000  A 4= 2.75541e-006  A 6=-5.18898e-007  A 8= 3.00010e-009  A10=-7.77898e-012  
第8面
K =-1.98405e+000  A 4=-2.15409e-005  A 6= 3.88052e-007  A 8=-2.62490e-009  A10= 6.97508e-012  
第9面
K =-1.98405e+000  A 4=-2.15409e-005  A 6= 3.88052e-007  A 8=-2.62490e-009  A10= 6.97508e-012  
第10面
K = 0.00000e+000  A 4=-5.12446e-005  A 6= 7.33177e-007  A 8=-1.04761e-008  A10= 4.69350e-011  
第11面
K = 0.00000e+000  A 4=-5.12446e-005  A 6= 7.33177e-007  A 8=-1.04761e-008  A10= 4.69350e-011  
各種データ
視度(m-1 )       -1       -3       +1
焦点距離      54.26    56.09    52.60  
d 5            2.20     0.50     3.92  
d 7            2.22     3.92     0.50  
レンズ焦点距離
f1    -67.83  
f2    29.41  
f3    -121.78  
【００５５】
［数値データ３］
単位 mm 
面データ
面番号       r        d      nd         νd 
1          ∞       5.00                             
2          ∞      78.90   1.51633    64.1           
3          ∞       1.17                             
4       -440.400    1.80   1.58306    30.2           
5*        42.475  (可変)                             
6*        25.476    5.64   1.53110    56.0           
7        -37.023  (可変)                             
8*        24.842    8.69   1.58306    30.2           
9*        15.750    2.00   1.49171    57.4           
10*        15.750    22.00                             
11  (アイポイント) 
非球面データ
第5面
K = 0.00000e+000  A 4= 1.13763e-005  A 6=-3.21337e-007  A 8= 2.39598e-009  A10=-6.49333e-012  
第6面
K = 1.40240e+000  A 4= 2.85825e-006  A 6=-5.21951e-007  A 8= 3.04091e-009  A10=-7.89826e-012  
第8面
K =-1.94461e+000  A 4=-2.11563e-005  A 6= 3.85896e-007  A 8=-2.58655e-009  A10= 6.79726e-012  
第9面
K = 0.00000e+000  A 4=-5.17718e-005  A 6= 7.32050e-007  A 8=-1.05197e-008  A10= 4.70698e-011  
第10面
K = 0.00000e+000  A 4=-5.17718e-005  A 6= 7.32050e-007  A 8=-1.05197e-008  A10= 4.70698e-011  
各種データ
視度(m-1 )       -1       -3       +1
焦点距離      54.26    56.17    52.53  
d 5            2.18     0.52     3.86  
d 7            2.17     3.83     0.50  
レンズ焦点距離
f1     -66.35  
f2     29.33  
f3     -124.87  
【００５６】
［数値データ４］
単位 mm 
面データ
面番号       r        d      nd         νd 
1          ∞       5.00                             
2          ∞      78.90   1.51633    64.1           
3          ∞       1.26                             
4       -284.171    1.80   1.58306    30.2           
5*        42.050  (可変)                             
6*        25.431    5.70   1.53110    56.0           
7        -36.460  (可変)                             
8*        23.725    1.00   1.49171    57.4           
9*        23.725    8.77   1.57090    33.8           
10*        15.280    1.00   1.49171    57.4           
11*        15.280    22.00                           
12  (アイポイント) 
非球面データ
第5面
K = 0.00000e+000  A 4= 1.01520e-005  A 6=-2.98075e-007  A 8= 2.18817e-009  A10=-5.99135e-012  
第6面
K = 1.30155e+000  A 4= 5.27669e-006  A 6=-5.05019e-007  A 8= 2.80405e-009  A10=-7.13255e-012  
第8面
K =-1.90849e+000  A 4=-2.42217e-005  A 6= 3.80771e-007  A 8=-2.39177e-009  A10= 6.42037e-012  
第9面
K =-1.90849e+000  A 4=-2.42217e-005  A 6= 3.80771e-007  A 8=-2.39177e-009  A10= 6.42037e-012  
第10面
K = 0.00000e+000  A 4=-5.80293e-005  A 6= 7.10044e-007  A 8=-9.33651e-009  A10= 3.71026e-011  
第11面
K = 0.00000e+000  A 4=-5.80293e-005  A 6= 7.10044e-007  A 8=-9.33651e-009  A10= 3.71026e-011  
各種データ
視度(m-1 )       -1       -3       +1
焦点距離      54.26    56.37    52.36  
d 5            2.06     0.50     3.63  
d 7            2.06     3.62     0.49  
レンズ焦点距離  
ｆ１     -62.70  
ｆ２      29.14  
ｆ３    -135.23   
以下に各実施例における条件式の数値を表１に示す。
【００５７】
【表１】
2017116566.tif 000004
【符号の説明】
【００５８】
３ａ  マット面（所定面）      ４  像反転手段      ５  接眼レンズ
Ｌ１  第１レンズ群      Ｌ２  第２レンズ群      Ｌ３  第３レンズ群
【図１】
2017116566.tif 000005
【図２】
2017116566.tif 000006
【図３】
2017116566.tif 000007
【図４】
2017116566.tif 000008
【図５】
2017116566.tif 000009
【図６】
2017116566.tif 000010
【図７】
2017116566.tif 000011
【図８】
2017116566.tif 000012
【図９】
2017116566.tif 000013